(57)【要約】【課題】  従来の造花と異なる特別な印象を与えることができる光学繊維を用いた造花を提供すること。【解決手段】  光学繊維の一端を薄片部材の端縁の近傍に沿って配置し、光学繊維の他端側を束ね、他端に発光装置を設けて光学繊維を用いた発光体を構成した。  薄片部材の端縁に配置された光学繊維の端部が発光するので、発光体の端縁の形状に沿って光が連なって見える。造花などにおいては、花弁やがく、葉などの端縁に光が連なり、従来にない独特の雰囲気を有する造花を提供できる。【選択図】図１
2007070760.tif 000002
【特許請求の範囲】
【請求項１】
光学繊維の一端を薄片部材の端縁の近傍に沿って配置し、該光学繊維の他端側を束ね、該他端に発光装置を設けたことを特徴とする光学繊維を用いた発光体。
【請求項２】
光学繊維の一端を、造花の花びら、葉、がくなどの薄片部材の端縁の近傍に沿って配置し、該光学繊維の他端側を束ね、該他端に発光装置を設けたことを特徴とする光学繊維を用いた造花。
【請求項３】
花冠を、任意の長さの支持部材で支持することした請求項２に記載の光学繊維を用いた造花。
【請求項４】
花冠を、平面状の支持部材に取り付けることとした請求項２に記載の光学繊維を用いた造花。
【請求項５】
支持部材を支持する基台を具え、該基台に発光装置を設け、該発光装置と光学繊維の他端とを着脱自在に接続した請求項３に記載の光学繊維を用いた造花。
【請求項６】
発光装置は、発光色の異なる複数の発光ダイオードと、該発光ダイオードの明滅を制御する制御手段と、前記発光ダイオードと該制御手段とを取り付ける基板とからなり、前記制御手段に設定したプログラムに従って前記発光ダイオードを明滅させるように構成した請求項２〜５のいずれか１項に記載の光学繊維を用いた造花。
【発明の詳細な説明】
【技術分野】
【０００１】
本発明は、光学繊維を用い、花弁や葉などをその縁端に沿って光らせることとした光学繊維を用いた発光体に関する。
【背景技術】
【０００２】
従来、造花に光学繊維を用いた例は知られている。例えば、光学繊維を花の中心から突出させて雌しべや雄しべにみたてたり、あるいは花の周囲に光学繊維を放射状に配し、光学繊維の基端に設けられた発光装置からの光を各光学繊維の先端から放射するようにしていた。
【０００３】
【特許文献１】実公平２−３０４０９号公報
【発明の開示】
【発明が解決しようとする課題】
【０００４】
しかしながら従来の光学繊維を用いた造花は、光学繊維を花の内部や花の周囲に配置し、花から突出した光学繊維の先端から光が出ているだけであった。したがって各光学繊維は、直線的に延びているか、単に放物線を描いて花の近辺に放射状に垂れ下がっているだけであった。
【０００５】
本発明は、例えば光学繊維を用いた従来の造花などとは異なり、見た人に特別な印象を与えることができる光学繊維を用いた発光体を提供することを目的とする。
【課題を解決するための手段】
【０００６】
本発明は、上記目的を解決するため次のように発光体を構成した。
【０００７】
１、光学繊維の一端を薄片部材の端縁の近傍に沿って配置し、該光学繊維の他端側を束ね、該他端に発光装置を設けて光学繊維を用いた発光体を構成した。
【０００８】
光学繊維は、一端から光を入射させると内部で全反射し、他端まで光が到達する性質を具えた繊維状の導光材である。材質は、ガラスと合成樹脂のいずれでもよく、可撓性を有するものが好ましい。光学繊維の本数は特に限定しない。
【０００９】
薄片部材は、例えば、造花、名札、花冠、置物、敷物、装飾品、飾り付けのために取り付けられるものなど、端縁を具え、端縁に沿って光学繊維の端部を配置できるものである。胸に貼り付ける造花やリボン、選挙や販売店などに用いられるパネルに貼り付けるバラの花、吊り下げたり、壁に貼られる広告、結婚式場などに用いられるテーブルクロス、扇子や団扇、傘などでもよい。
【００１０】
光学繊維は、薄片部材の表や裏に接着剤等を用いて光学繊維を貼り付ける。また２枚以上の部材を張り合わせて薄片部材が形成される場合には、それらの間に光学繊維を挟みこんでもよい。また光学繊維は、薄片部材に密着しておらず、光学繊維の一部が薄片部材から離れて取り付けてもよい。
【００１１】
光学繊維の端部は、薄片部材の端縁に沿って取り付ける。尚、薄片部材の端縁でなく、薄片部材の内部、すなわち薄片部材の基端から先端縁までの中間位置に光学繊維の端部を所定の形状に設けてもよい。この場合は、光学繊維の端部を薄片部材から露出させたり、または薄片部材を透光性を有する材質で形成する。
【００１２】
光学繊維の端部は、薄片部材の端縁に沿って均等の間隔で配置するのが好ましいが、薄片部材の一部に光学繊維を集中させたり、複数の光学繊維を束ね、束ねた光学繊維の端縁を所定の間隔で薄片部材の端縁に沿って配置してもよい。
【００１３】
発光装置は、発光ダイオード（ＬＥＤ）で構成するのが、小型、軽量化が達成できる点から好ましい。また制御装置によって、発光色が異なる複数のＬＥＤを適宜明滅させるとよい。例えば発光装置を、ボタン型電池と、ＬＥＤの明滅を制御する制御用のＩＣチップと、各色のＬＥＤを組み合わせて構成すると、非常に小型化した、色の異なる光を発する発光装置を構成できる。尚発光装置は、電球でもよい。
【００１４】
２、光学繊維の一端を、造花の花びら、葉、がくなどの薄片部材の端縁の近傍に沿って配置し、該光学繊維の他端側を束ね、他端に発光装置を設けて造花を構成した。
【００１５】
花びら、がくなどからなる花冠に発光装置を取り付け、花冠のみを装飾品として用いても、花冠から光学繊維を引き出し、光学繊維の他端に発光装置を設けてもよい。その場合、光学繊維を茎として形成しても、花冠を支持する支持部材と光学繊維とを分けてもよい。光学繊維を束ねて茎を形成する場合は、例えば束ねた光学繊維の周囲に紙片や樹脂片などを巻きつけたり、チューブ内に光学繊維を挿入する。
【００１６】
３、花冠を、任意の長さの支持部材で支持することした。
【００１７】
茎に相当する支持部材の長さを変更可能とした。針金などにより支持部材を形成し、異なる長さの支持部材を用いて花冠の高さを任意に変更する。また支持部材を伸縮自在に形成してもよい。花冠に発光装置を設けて支持部材に花冠のみを取り付けても、光学繊維を花冠から引き出して発光装置に接続してもよい。引き出された光学繊維は、茎に取り付けても、別の部材に取り付けてもよい。
【００１８】
また、造花の茎部分を柱状の光学樹脂で形成し、光学樹脂の先端に複数の光学繊維を束ねた端面を対向させ、その端面から延びる光学繊維を花弁や葉に取り付けるようにしてもよい。
【００１９】
４、花冠を、平面状の支持部材に取り付けることとした。
【００２０】
平面状の支持部材とは、金属製、あるいは樹脂製ワイヤで作成したネットや、板材等である。この支持部材の任意の位置に花冠を取り付ける。花冠は発光装置を有するものでも、光学繊維を引き出し、光学繊維の他端に発光装置を設けたものでもよい。
【００２１】
５、支持部材を支持する基台を具え、基台に発光装置を設け、発光装置と光学繊維の他端とを着脱自在に接続することとした。
【００２２】
花冠や支持部材を支持する基台に発光装置を設け、各発光装置に光学繊維の端部を接続可能とする。造花ごとに基台を個別に設けても、発光装置を設置した孔を複数基台に設け、一台の基台に複数の造花を組み付けるようにしてもよい。基台に複数の孔を設けた場合、各発光装置に共通した制御装置を用いることができる。光学繊維の束を茎として支持部材とした場合には、茎を直接基台に着脱自在に組み付ける。また光学繊維と別に支持部材を用いた場合は、基台に支持部材を支持させるとともに光学繊維の端部を接続する接続口などを形成する。
【００２３】
６、発光装置は、発光色の異なる複数の発光ダイオードと、発光ダイオードの明滅を制御する制御手段と、発光ダイオードと制御手段とを取り付ける基板とからなり、制御手段に設定したプログラムに従って発光ダイオードを明滅させるように構成した。
【００２４】
このように形成した発光装置を花冠に直接取り付けたり、基台に形成した茎の取り付け孔や光学繊維の接続口の内部に設ける。また発光装置を、茎の端面に取り付けてもよい。尚、上記発光装置を１に記載の発光体に用いてもよい。
【発明の効果】
【００２５】
薄片部材の端縁に光学繊維の端部が配置してあるので、発光装置を作動させると薄片部材を照らすとともに光が薄片部材の形状に沿って連なって見える。また、光学繊維の端部を任意の形状に配置すると、かかる形状に沿って発光が見られる。
【００２６】
名札に用いた場合には、胸に取り付ける名札の縁を光らせることができ、花冠をパネルなどに貼り付けたときに花冠の花弁を光らせてきれいに見せることができる。またテーブルクロスの周縁を光らせたり、展示する広告の周縁を光らせ、見る人の注目を集めることができる。
【００２７】
造花の花弁やがく、葉などの端縁に光が連なって見え、従来にない独特の雰囲気を具えた造花を提供できる。また花や葉の端部で光る光の色が時間とともに変化し、見る人を飽きさせず、常に違った印象をもたらすことができる。
【００２８】
長さの異なる支持部材を用いて花冠を支持することにより、花冠の位置を変更できる。したがって、場所や状況に応じて異なった装飾が可能となる。また支持部材を屈曲自在としてもよい。支持部材の内部に光学繊維を収納させてもよい。光学繊維を連結自在としてもよい。また、光学繊維の端部を備え付けのスポットライトなどの光源に向け、光学繊維の内部に光を入射させてもよい。金属製のネットなど平面状の支持部材に花冠を取り付けると、造花の設置や、移動、配置などがネットごとに行うことができ、多量の造花を容易に取り扱うことができる。
【００２９】
基台で造花が支持されるので、どこにでも造花を配置できる。また一台の基台に複数の造花を同時に配置できる。更に造花に加え、造花以外の他の発光体を混在して取り付けることもできる。
【００３０】
発光装置を小型化できるので、発光装置を基台に設けた孔の内部に配置したり、発光体自体に取り付けるなど任意な箇所に発光装置を設置できる。
【発明を実施するための最良の形態】
【００３１】
図１に、本発明にかかる発光体としての飾り花２を示す。飾り花２は、造花６と造花６を据え付ける基台４とから形成してある。
【００３２】
基台４は円錐台状で、図５に示すように上面に孔８を有し、孔８の底に発光装置１０が配置してある。発光装置１０は、基板１２と、基板１２に取り付けられた３個の発光ダイオード（ＬＥＤ）１４と、発光ダイオード１４の発光を制御する制御チップ１６と、基台４の底部に電池１７、およびスイッチ（図示せず。）などから構成してある。
【００３３】
発光ダイオード１４は、例えば赤、青、緑の３つの発光ダイオードからなり、孔８に向けて発光するように基板２に取り付けてある。尚、発光ダイオード１４の数および色はこれに特定せず、また各色を発するダイオードを１チップに組み入れたものでもよい。
【００３４】
制御チップ１６は、外部から制御用プログラムを入力したり、入力したプログラムを変更することができ、プログラムに従い発光ダイオード１４を明滅させる。
【００３５】
造花６は図４に示すように、茎２２と、茎２２に取り付けられた葉２４と花冠２６から形成してある。
【００３６】
茎２２は、複数の光学繊維３を収納した緑色のチューブからなり、基部の差込筒９から３本延びている。差込筒９は円筒状で、孔８に抜き差し自在で、適度な保持力で保持されるよう外径が孔８の内径にほぼ等しく形成してある。差込筒９の端面には、光学繊維３の端部が露出している。
【００３７】
葉２４は、薄い樹脂材を表裏２枚貼り合せて形成してあり、左右の茎２２の上端に取り付けてある。葉２４には、茎２２から連続して設けられた光学繊維３が、２枚の樹脂材の間に挟み込まれ、かつ図３に示すようにそれぞれの端部が葉２４の端縁より若干突出するよう、中心からほぼ放射状に配置してある。
【００３８】
花冠２６は、複数の花びら２７から形成してあり、中央の茎２２の上端に取り付けてある。花びら２７は紙片や樹脂片からなり、茎２２から連続して設けられた光学繊維３が、図２に示すように光学繊維３の先端が花びら２７の端縁から若干突出した状態で放射状に、花びら２７の内面に接着剤を用いて貼り付けてある。
【００３９】
次に飾り花２の作用について説明する。
【００４０】
まず発光装置１０の制御チップ１６に発光ダイオード１４の明滅プログラムを入力する。茎２２の基部から孔８に差し入れ、造花６を基台４の上面に保持させる。
【００４１】
発光装置１０のスイッチを入れると、発光ダイオード１４が発光し、その光が光学繊維３を通って花びら２７や葉２４の端縁を縁取るように光らせる。そして発光ダイオード１４が発する光が制御チップ１６により変化するに従い、花びら２７や葉２４の端縁を色取る光の色が変化する。
【００４２】
したがって、光学繊維３によって飾り花２が照らさせるとともにその縁に沿って光が連続するので、従来にない独特の雰囲気を見る人に与えることができる。
【００４３】
飾り花の他の例を説明する。
【００４４】
この飾り花２は、図６に示すように支持部材５を用いて花冠２６を支持している。支持部材５は棒状で、支持部材５の下端を基台４の取付台１１に抜き差し自在に固定し、支持部材５の上部に花冠２６を取り外し可能に固定してある。花冠２６の各花びら２７には上述したように光学繊維３が、花びら２７の端縁に光学繊維３の端部を突出させて貼り付けてある。
【００４５】
花冠２６からは束ねられた光学繊維３が引き出され、その他端が差込筒９に固定してある。差込筒９は、孔８に挿入固定されており、光学繊維３の端面が孔８の内部で発光装置１０に対面しているとともに、支持部材５より長い分は支持部材５の近傍にたわませてある。また支持部材５に葉２４などを取り付け、茎として見せるようにしてもよい。
【００４６】
このように構成すると、花冠２６を取り付ける支持部材５の長さを異ならせることができ、花冠２６の高さを任意に変更することができる。また支持部材５を屈曲させたり、取り付け部を傾斜させることにより、花冠２６の向きを任意に設定できる。
【００４７】
更に他の例を図７に示す。これは平面状の支持部材として金網１３を用い、金網１３に花冠２６を取り付けた。花冠２６は、個々に発光装置１０を組み付けても、花冠２６から光学繊維３を引き出し、図７に示すように光学繊維３を発光装置１０に接続させるようにしてもよい。花冠２６を取り付けた金網１３を適宜壁などに立てかけることにより、複数の花冠２６を任意の位置に一度に配置することができる。
【００４８】
更に基台４を図８に示すように横に長く形成し、基台４の上面に孔８を複数形成してもよい。孔８、および孔８の内部構造は上記例と同様であり、各孔８に造花６を差し入れ固定でき、複数の造花６を一台の基台４に固定できる。またこの場合、基台４のいずれかの位置に設けた制御チップ１６を、各孔８の底に設けた発光ダイオード１４に接続し、各孔８に配置した発光ダイオード１４を一つの制御チップ１６で制御してもよい。
【００４９】
更につぼや花器、プランターなどを基台として用い、それらに飾り花２を据え付け、底部に設けた発光装置１０を用いて花冠２６や葉２４などを光らせるようにしてもよい。また、孔８と差込筒９を共通化して用いることにより、すべての発光体をどのような基台にも据え付けることができる。
【００５０】
また、孔８に茎２２を差し入れると発光ダイオード１４や制御チップ１６のスイッチがオンされるようにスイッチ機構を設けて構成してもよい。更に図６に示す支持部材５を有する飾り花２を上記基台４や、つぼ等に据え付けてもよい。
【００５１】
尚、上記例は造花６を例に説明したが、本発明の薄片部材は造花に限るものではなく、造花以外の装飾品でもよい。
【図面の簡単な説明】
【００５２】
【図１】本発明にかかる飾り花の一実施形態を示す斜視図である。
【図２】花びらを示す図である。
【図３】葉を示す図である。
【図４】造花を示す図である。
【図５】基台を示す断面図である。
【図６】造花の他の例を示す図である。
【図７】支持部材を示す図である。
【図８】基台の他の例を示す斜視図である。
【符号の説明】
【００５３】
２    飾り花
３    光学繊維
４    基台
６    造花
８    孔
９    差込筒
１０  発光装置
１１  取付台
１２  基板
１３  金網
１４  発光ダイオード
１６  制御チップ
１７  電池
２２  茎
２４  葉
２６  花冠
２７  花びら
【図１】
2007070760.tif 000003
【図２】
2007070760.tif 000004
【図３】
2007070760.tif 000005
【図４】
2007070760.tif 000006
【図５】
2007070760.tif 000007
【図６】
2007070760.tif 000008
【図７】
2007070760.tif 000009
【図８】
2007070760.tif 000010